(57)【要約】【課題】  施工工数を低減させて浴槽パンからの漏水を防ぐことのできる浴室排水トラップ構造を提供する。【解決手段】  凹部３が浴槽パン１に一体形成され、この凹部３内には、浴槽パン１と洗い場パン２が接続された状態で凹部３を浴槽排水口Ｈ１と洗い場排水口Ｈ２に仕切る仕切り板５が設けられ、この仕切り板５で仕切られることで形成された洗い場排水口Ｈ２には封水を確保できる封水部材６が取り付けられ、封水部材６により封水された凹部３の側面には、排水管に接続できる排水接続管４が設けられている。【選択図】  図２
2007039956.tif 000002
【特許請求の範囲】
【請求項１】
凹部が浴槽パンか洗い場パンの何れか側に一体形成され、
該凹部内には、前記浴槽パンと洗い場パンが接続された状態で該凹部を浴槽パン側の浴槽排水口と洗い場パン側の洗い場排水口に仕切る仕切り板が設けられ、
該仕切り板で仕切られることで形成された前記洗い場排水口には封水を確保できる封水部材が取り付けられているとともに、
該封水部材により封水された前記凹部の側面には、封水を確保しながら排水管に接続できる排水接続管が設けられていることを特徴とする浴室排水トラップ構造。
【請求項２】
前記封水部材が着脱可能に取り付けられていることを特徴とする請求項１に記載の浴室排水トラップ構造。
【発明の詳細な説明】
【技術分野】
【０００１】
本発明は、浴室における排水トラップの構造に関するものである。
【背景技術】
【０００２】
従来、特許文献１に開示されているように、防水パン床面に排水用凹段部を一体形成し、この排水用凹段部内に鍔付管と筒体水受部からなる着脱可能な排水トラップ機構を設け、排水用凹段部の下部に排水用の流出口を設けたものが存在する。
【特許文献１】実開平５−４０３７７号公報
【発明の開示】
【発明が解決しようとする課題】
【０００３】
上記特許文献１に開示されている排水トラップの構造では、施工現場で排水トラップの取付作業を省略することができるが、あくまで洗い場の排水トラップに関するものであり、浴槽側からの排水については何ら考慮されていないものであった。
【課題を解決するための手段】
【０００４】
本発明は上記従来の問題点に鑑み案出したものであって、浴槽側からの排水と洗い場側からの排水を流入させることができ、特に、浴槽側からの漏水を防ぐことができて、排水トラップを別途、現場で固定する必要もない浴室排水トラップ構造を提供せんとするものであり、その請求項１は、凹部が浴槽パンか洗い場パンの何れか側に一体形成され、該凹部内には、前記浴槽パンと洗い場パンが接続された状態で該凹部を浴槽パン側の浴槽排水口と洗い場パン側の洗い場排水口に仕切る仕切り板が設けられ、該仕切り板で仕切られることで形成された前記洗い場排水口には封水を確保できる封水部材が取り付けられているとともに、該封水部材により封水された前記凹部の側面には、封水を確保しながら排水管に接続できる排水接続管が設けられていることである。
また、請求項２は、前記封水部材が着脱可能に取り付けられていることである。
【発明の効果】
【０００５】
本発明の浴室排水トラップ構造は、凹部が浴槽パンか洗い場パンの何れか側に一体形成され、該凹部内には、前記浴槽パンと洗い場パンが接続された状態で該凹部を浴槽パン側の浴槽排水口と洗い場パン側の洗い場排水口に仕切る仕切り板が設けられ、該仕切り板で仕切られることで形成された前記洗い場排水口には封水を確保できる封水部材が取り付けられているとともに、該封水部材により封水された前記凹部の側面には、封水を確保しながら排水管に接続できる排水接続管が設けられていることにより、浴槽が設置される浴槽パンから洗い場を構成する洗い場パンにつながる排水経路が浴室内に形成されて、浴槽パンからの漏水の危険性が低減されるものとなり、排水トラップを別途、現場で取り付ける必要がないため、現場で浴槽パンと洗い場パンを接続するだけで良好に排水トラップが形成されて、施工が容易なものとなる。
【０００６】
また、前記封水部材が着脱可能に取り付けられていることにより、封水部材は凹部内から取り外して掃除することができるものとなり、ぬめり等を容易に除去できるものとなる。
【実施例】
【０００７】
以下、本発明の実施例を図面に基づいて説明する。
図１は、第１実施例の浴槽パンと洗い場パンの分解斜視図であり、図２は、浴槽パンと洗い場パンを現場で組み付けた状態の縦断面構成図である。
【０００８】
図において、浴槽パン１は、浴槽７を載置できる浴槽載置面１ａの外周に立ち上げ状に水切立上片１ｂが一体形成されており、この水切立上片１ｂの洗い場パン２側の中央部には、洗い場パン２側へ突出して排水用の凹部３が一体形成され、この凹部３の側面には洗い場パン２側へ突出して排水接続管４が一体形成されている。
なお、本例では、この浴槽パン１は熱可塑性樹脂の射出成形等で形成されたものとなっている。
【０００９】
一方、洗い場パン２の浴槽側の接続辺２ｂの中央部には、前記凹部３が嵌め込まれる形状の嵌合切欠部２ａが形成されている。
この嵌合切欠部２ａ内に浴槽パンの凹部３を嵌め込んで、図２のように接続部Ｐで接続して、浴槽パン１と洗い場パン２を現場で一体化させることができるものである。
なお、凹部３は封水高さａを確保できるような深さに形成されており、底面３ａから洗い場パン２側に側面３ｂが立ち上げられ、この側面３ｂに排水接続管４が突出形成されており、この排水接続管４の下面と底面３ａ間で封水高さａが確保されている。
また、側面３ｂと反対側には底面３ａから立ち上げて立面３ｃが一体形成され、この立面３ｃ上に浴槽載置面１ａが一体形成されている。
【００１０】
この凹部３内には、仕切板５と封水部材６を設置できるように構成されており、仕切板５は、略垂直な立片５ａから略水平状に横片５ｂが一体形成されており、横片５ｂには上下に貫通して嵌合孔５ｃが形成されている。この嵌合孔５ｃ内には、図２に示すように、浴槽７の浴槽排水口Ｈ１を嵌め込むことができるものである。
【００１１】
なお、この仕切板５は別体で形成して、凹部３内に現場で溶着等の手段により強固に固定させることができるものであるが、成形が可能であれば、浴槽パン１と一体状にこの仕切板５を形成させておくこともできるものである。
なお、仕切板５の設置状態では、縦片５ａの下端と凹部の底面３ａ間には排水の通る通路が形成されるものであり、縦片５ａ上に浴槽７のエプロン８が立設されるものである。
【００１２】
このように凹部３内に仕切板５を設置することで、凹部３内を、浴槽パン１側の浴槽排水口Ｈ１と洗い場パン２側の洗い場排水口Ｈ２に仕切ることができ、洗い場パン２側の洗い場排水口Ｈ２から洗い場の排水を凹部３内に流入させることができるものである。
このようにして仕切板５により凹部３内が仕切られて、洗い場排水口Ｈ２が形成されるが、この洗い場排水口Ｈ２には、封水部材６を着脱可能に取り付けることができ、この封水部材６は、略水平な上面片６ａから傾斜状に垂下して封水片６ｂが一体形成されており、この封水片６ｂの図示左側の上面片６ａには、上下に貫通して開口６ｃが形成されている。
【００１３】
図２のように、封水部材６を凹部３内に取り付けた状態では、封水部材６の上面片６ａが排水接続管４の上方に水平状に嵌合され、封水片６ｂは仕切板５の縦片５ａと凹部３の側面４ｂ間に傾斜状に垂下されて、その下端と凹部の底面３ａ間には隙間が形成され、良好な封水を確保できるものであり、凹部３内には封水面Ｗが形成されることとなる。
なお、この封水部材６は上方へ取り外して、洗ってぬめり等を取ることができ、使用者によるメンテナンスが可能なように構成されている。
【００１４】
なお、現場においては、浴槽パン１を設置し、その後に、排水接続管４に排水管を接続した後、洗い場パン２を設置して、洗い場パン２と浴槽パン１を接続して施工することができ、洗い場パン２と浴槽パン１を接続するだけで排水トラップを別途現場で固定する必要がなく、施工工数を低減できるものとなり、また、浴槽パン１と洗い場パン２の接続状態では、浴槽パン１から洗い場パン２につながる排水経路が浴室外ではなく浴室内に形成されるため、特に浴槽パン１側からの漏水の確率が低減されるものとなる。
【００１５】
次に、図３は、第２実施例の分解斜視図であり、図４は、その組付状態の縦断面構成図である。
図３および図４の第２実施例では、洗い場パン２の接続辺２ｂの中央部に、浴槽パン１側へ突出状に凹部３を一体形成させたものであり、この凹部３が嵌合する嵌合切欠部１ｃが浴槽パン１側に形成されている。その他、仕切板５および封水部材６は、第１実施例と同様なものが用いられる。
【００１６】
なお、凹部３の側面３ｂには排水接続管４が一体形成されており、図４のような組付状態では、凹部３の立面３ｃの上端が浴槽パン１の浴槽設置面１ａに接続部Ｐで接続されるものである。
この第２実施例では、排水接続管４に排水管を接続した後に洗い場パン２を設置し、その後に浴槽パン１を設置して接続する施工順序となる。
【００１７】
このように洗い場パン２側に封水用の凹部３を設ける場合は、排水接続管４の下面よりも凹部３の封水高さａの深さが深いと、浴室パン１と洗い場パン２の接続点Ｐよりも下で封水が溜まり、接続点Ｐから漏水しにくくすることができる。
本例においても、排水トラップを現場で固定させる必要がないため施工工数が低減でき、浴槽パン１からの漏水の確率が低減されるものとなる。
【図面の簡単な説明】
【００１８】
【図１】第１実施例の浴槽パンと洗い場パンの分解斜視図である。
【図２】図１の浴槽パンと洗い場パンを組み付け施工した状態の縦断面構成図である。
【図３】第２実施例の浴槽パンと洗い場パンの分解斜視構成図である。
【図４】組み付け状態の縦断面構成図である。
【符号の説明】
【００１９】
１  浴槽パン
１ａ  浴槽の載置面
１ｂ  水切立上片
１ｃ  嵌合切欠部
２  洗い場パン
２ａ  嵌合切欠部
２ｂ  接続辺
３  凹部
３ａ  底面
３ｂ  側面
３ｃ  立面
４  排水接続管
５  仕切り板
５ａ  縦片
５ｂ  横片
５ｃ  嵌合孔
６  封水部材
６ａ  上面片
６ｂ  封水片
６ｃ  開口
ａ  封水高さ
Ｈ１  浴槽排水口
Ｈ２  洗い場排水口
【図１】
2007039956.tif 000003
【図２】
2007039956.tif 000004
【図３】
2007039956.tif 000005
【図４】
2007039956.tif 000006